(57)【特許請求の範囲】
【請求項１】
人体の特徴点データを検出する人体特徴点抽出センサと、人為的に操作されＩＤ照合に用いられるＩＤ番号を指定するか、又は複数の上記ＩＤ番号からなりグループ照合に用いられるグループ番号を指定するテンキーと、人為的に操作され上記グループ照合を指定するグループキーと、上記人体特徴点抽出センサに上記人体が対向したことを自動的に検出する人体対向検出手段と、この人体対向検出手段が上記人体の対向を検出するとオート照合と判定し、このオート照合が判定されていない状態で上記グループキーにより上記グループ照合が指定されるとグループ照合と判定するとともに、上記テンキーにより指定されたグループ番号を入力し、上記グループが判定されていない状態で上記テンキーにより上記ＩＤ番号が入力されるとＩＤ照合と判定し、あらかじめ登録された上記人体特徴点データから、上記判定されたオート照合、グループ照合及びＩＤ照合のいずれかに用いる上記人体特徴点データを選択する照合対象選択手段とを備えてなる人体照合装置。
【請求項２】
あらかじめ登録された人体特徴点データを、上記登録時に指定されるグループ番号とＩＤ番号に対応して管理かつ記憶するグループ＋ＩＤ番号管理人体特徴点データ記憶手段を設けたことを特徴とする請求項１記載の人体照合装置。
【請求項３】
人体特徴点抽出センサからの人体特徴点データ及びグループ＋ＩＤ番号管理指紋データ記憶手段からの人体特徴点データがそれぞれ入力され、あらかじめ登録された人体特徴点データが複数の場合に、その対象を検索かつ比較する複数データ検索照合手段と、上記あらかじめ登録された人体特徴点データが一つの場合に、単独で比較する単独照合手段とを設けたことを特徴とする請求項２記載の人体照合装置。
【請求項４】
人体特徴点データの登録時、人体対向検出並びにテンキーによるグループ番号入力及びＩＤ番号入力のいずれで照合するかを指定する照合手順指定手段と、上記人体特徴点抽出センサで検出した上記人体特徴点データを登録する人体特徴点データ登録手段とを設けたことを特徴とする請求項１記載の人体照合装置。
【請求項５】
人体の特徴点として指紋を用いるものとしたことを特徴とする請求項１〜請求項４のいずれかに記載の人体照合装置。
【発明の詳細な説明】
【０００１】
【発明の属する技術分野】
この発明は指紋等の人体の特徴点により個人を照合する装置に関するものである。
【０００２】
【従来の技術】
建物内の所定区域へは関係者以外の立入りを禁止するため、所定区域への通路又は出入口に電気錠によって開閉される扉を設け、この扉の近傍に所定区域への通行を許可された者か否かを、指紋を照合して判別する指紋照合装置を設置する場合がある。
この指紋照合装置は、所定の指の指紋を指紋センサで撮像し、その画面の濃淡を電気信号に変換して指紋データを出力し、これをあらかじめ登録された指紋データと照合して、両者が一致するか又は不一致であるかを判定するものである。
【０００３】
この場合、指紋センサの外にテンキーを設置し、操作者がテンキーを操作してＩＤ（個人）番号を入力すると、あらかじめ登録された指紋の特徴点データの中から、ＩＤ番号に対応する指紋データを抽出し、指紋センサから入力された実指紋データと照合するようにしている。
【０００４】
【発明が解決しようとする課題】
上記のような従来の指紋検出装置は、テンキーからＩＤ番号を入力し、指紋センサで指紋を入力するようにしているため、ＩＤ番号を正確に覚えていなければ運用はできない。また、指紋登録者が多数の場合、全員の指紋データを順次検索していては照合時間が長くなり、操作性が悪くなる。などの問題点がある。
【０００５】
この発明は上記問題点を解消するためになされたもので、ＩＤ番号を覚えておかなくても照合ができ、かつ照合性能及び照合速度を向上できるようにした人体照合装置を提供することを目的とする。
【０００６】
【課題を解決するための手段】
この発明の第１発明に係る人体照合装置は、人体特徴点抽出センサに人体が対向したことが検出されるとオート照合と判定し、このオート照合が判定されていない状態でグループキーによりグループ照合が指定されるとグループ照合と判定し、このグループ照合が判定されていない状態でテンキーによりＩＤ番号が入力されるとＩＤ照合と判定し、あらかじめ登録された人体特徴点データから、上記判定されたオート照合、グループ照合及びＩＤ照合のいずれかに用いるデータを選択するようにしたものである。
【０００７】
また、第２発明に係る人体照合装置は、第１発明のものにおいて、あらかじめ登録された人体特徴点データを登録時に指定されるグループ番号とＩＤ番号に対応して管理かつ記憶するようにしたものである。
【０００８】
また、第３発明に係る人体照合装置は、第２発明のものにおいて、あらかじめ登録された人体特徴点データが複数の場合は、その対象を検索かつ比較し、あらかじめ登録された人体特徴点データが一つの場合は、単独で比較するようにしたものである。
【０００９】
また、第４発明に係る人体照合装置は、第１発明のものにおいて、人体特徴点データの登録時、人体対向検出並びにテンキーによるグループ番号入力及びＩＤ番号入力のいずれで照合するかを指定するとともに、検出した人体特徴点データを登録するようにしたものである。
【００１０】
また、第５発明に係る人体照合装置は、第１〜第４発明のものにおいて、人体の特徴点として指紋を用いるようにしたものである。
【００１１】
【発明の実施の形態】
実施の形態１．
図１〜図７はこの発明の第１〜第６発明の一実施の形態を示す図で、図１は全体構成図、図２は外観図、図３はブロック線図、図４は登録操作フローチャート、図５は照合操作フローチャート、図６は指紋データベース説明図、図７は照合動作フローチャートで、図中同一符号は同一部分を示す。
【００１２】
図１において、１は人体特徴点抽出センサを構成する指紋センサ、２は指紋センサ１に接続され人体対向検出手段を構成する指置き自動（オート）検出手段、３は入力キーを構成するテンキー、４はテンキー３によるグループ番号入力手段、５はテンキー３によるＩＤ（個人）番号入力手段、６は指置き自動検出手段２、グループ番号入力手段４及びＩＤ番号入力手段５に接続されたＯＲゲート、７はＯＲゲート６の出力に基づいて照合対象となる指紋データを、グループ＋ＩＤ番号管理指紋データ記憶手段８の中から探し出す照合対象選択手段である。
【００１３】
９は指紋センサ１から入力指紋データを取り込む指紋画像取込手段、１０は取り込まれた指紋データを登録する指紋データ登録手段、１１は照合に必要なグループ番号及びＩＤ番号を指定する照合手順指定手段、１２は指紋画像取込手段９からの入力指紋データと、グループ＋ＩＤ番号管理指紋データ記憶手段８からの選択指紋データを比較して自動照合又はグループ照合をする複数データ検索照合手段、１３は同じくＩＤ照合をする個別データ単独照合手段、１４は上記両照合の結果を表示する結果表示手段、１５は上記結果から対象機器の制御結果及び照合結果をログ記録する制御・ログ記録手段であり、上記により指紋照合装置１７が構成されている。
【００１４】
図２において、指紋照合装置１７の操作部は、操作者が指を置く指置き部１ａ、グループ番号又はＩＤ番号を入力するテンキー３、グループキー２１ａ、オートキー２１ｂ及びモードキー２１ｃからなるファンクションキー２１、並びに現在の動作状態及び操作案内用の電源灯２２ａ、エラー灯２２ｂ、指置き灯２２ｃ及びＯＫ／ＮＧ灯２２ｄからなる表示灯２２により構成されている。
【００１５】
図３において、指紋センサ１はＬＥＤ光源１ｂ、プリズム１ｃ及びＣＣＤカメラ１ｄから構成されている。２３は指紋センサ１のアナログ画像信号をディジタル画像信号に変換するＡ／Ｄ変換器、２４は中央処理装置（ＣＰＵ）、２５はＬＥＤ光源１ｂ、テンキー３、表示灯２２及ブザー２６に接続され、ＣＰＵ２４の間で信号を授受する入出力装置、２７はＣＰＵ２４に接続された入出力装置で、出力リレー２８が接続され照合結果により当該扉の電気錠２９を制御する。３０はＣＰＵ２４に接続され登録指紋データ、操作ログの記憶データ等を記憶するメモリ、３１はメモリ３０の電源をバックアップする電池である。
【００１６】
次に、この実施の形態の動作を図４〜図７を参照して説明する。
Ａ  指紋登録時の操作（図４）
まず、ステップＳ１で「モード」キー２１ｃで通常の照合から指紋登録する登録モードに切り換える。ステップＳ２でテンキー３によりグループ番号（Ａ〜Ｉの９グループ）を入力するか、又はステップＳ３で自動照合する「オート」キー２１ｂを入力するかした後、ステップＳ４で「グループ」キー２１ａを入力してグループ番号を指定する。そのとき、運用として複数データ照合は使わずに、個別データしか照合しない場合は、そのままスキップしてステップＳ５へ飛ぶ。
【００１７】
ステップＳ５でテンキー３によりＩＤ番号（０〜９の数けた）を入力して、ステップＳ６で「入力（＃）」キーを押してＩＤ番号を入力する。ステップＳ７で指置き灯２２ｃを点灯して、操作者に指紋センサ１がある指置き部１ａに指を置くことを案内する。そして、ステップＳ８へ進み、指紋センサ１は指置き部１ａに置かれた指の指紋データを取り込んで、指紋データベース３５（後述）にグループ番号及びＩＤ番号ごとに指紋データを登録する。
【００１８】
Ｂ  指紋照合時の操作（図５）
通常状態のとき、ステップＳ１１で指紋センサ１が指置きを検出するか、又はステップＳ１２で操作者がファンクションキー２１及びテンキー３のいずれかのキーを入力したかを監視する。指紋センサ１が指置きを検出したときは、自動（オート）照合に進み、ステップＳ１３で指紋データを取り込む。いずれかのキーを入力した場合、操作者はグループかＩＤかの番号指定をする。すなわち、まずステップＳ１４で「グループ」キー２１ａを入力したときは、ステップＳ１５でテンキー３を操作してグループ番号（Ａ〜Ｉ）を入力し、ステップＳ１６で指置き部１ａに指を置き、ステップＳ１７で指紋データを取り込む。
【００１９】
また、ステップＳ１８でテンキー３の「０」〜「９」の数字キーでＩＤ番号を入力したときは、続いてステップＳ１９で「入力（＃）」キーを押し、ステップＳ２０で指置き部１ａに指を置き、ステップＳ２１で指紋データを取り込む。
自動照合又はグループ照合で取り込まれた指紋データは、ステップＳ２２で複数データ検索照合され、その結果をステップＳ２４でＯＫ／ＮＧ灯２２ｄに表示する。また、ＩＤ照合で取り込まれた指紋データは、ステップＳ２３で個別データ単独照合され、その結果をステップＳ２４で表示する。
【００２０】
Ｃ  指紋照合動作（図６及び図７）
まず、図６に図１のグループ＋ＩＤ番号管理指紋データ記憶手段８に用いられる指紋データベースの論理構造を示す。
指紋データベース３５は、グループ番号、ＩＤ番号及び指紋データの３階層で構成され、それぞれ個別に検索キーが存在する。自動（オート）照合用の場合は、グループ番号「０」を使って指定し、自動検索対象もグループ管理の１グループとみなしている。また、一つのグループには、複数のＩＤ番号が存在し、照合性能（速度及び誤認識）に従って許容数ｎが制限されている。
【００２１】
図７は照合対象選択手段７、複数データ検索照合手段１２及び個別データ単独照合手段１３で行われる照合動作である。
指置き自動検出手段２、グループ番号入力手段４、ＩＤ番号入力手段５又は指紋画像取込手段９から来る情報に基づいて、オート照合か、グループ照合か、ＩＤ照合かを判別する。まず、ステップＳ３１でオート照合かを判断し、オート照合であればステップＳ３２で指置き検出された指紋データ（Ｄｉｎ）を取り込む。
【００２２】
また、オート照合でなければステップＳ３３へ進み、グループ照合かを判断し、グループ照合であればステップＳ３４へ進み、入力されたグループ番号を取り込み、ステップＳ３２で指紋データ（Ｄｉｎ）を取り込む。そして、ステップＳ３５で図６の指紋データベース３５の検索キーを使って、指定のグループ（オート）番号の指紋データ（Ｄｉ）及びＩＤ番号をすべて抽出する。また、グループ照合でなければ、すなわちＩＤ照合の場合は、ステップＳ３６へ進み、入力されたＩＤ番号を取り込み、ステップＳ３７で指紋データ（Ｄｉｎ）を取り込み、ステップＳ３８で指紋データベース３５から指定ＩＤ番号の指紋データ（Ｄｉ）１個を抽出する。
【００２３】
そして、ステップＳ３９で上記抽出された登録指紋データＤ（ｉ）を照合対象テーブル３６の領域に、複数（ｎ）個又は１個格納する。ステップＳ４０でカウンタｉを１とし、ステップＳ４１でカウンタｉが指紋データの格納数ｎに達したかを判断し、達していなければステップＳ４２で入力指紋データ（Ｄｉｎ）と照合対象テーブル３６内の指紋データＤ（ｉ）を格納数ｎ回順次比較・照合する。照合一致しなければ、ステップＳ４３でカウンタｉを１増加してステップＳ４１へ戻る。一つでも照合一致すれば、ステップＳ４４でＯＫ表示する。ステップＳ４５で該当ＩＤ番号を取り出し、ステップＳ４５でログ記録する。
【００２４】
また、ステップＳ４１でカウンタｉが格納数ｎに達すると、すなわちすべてのデータを比較しても、一致するものがない場合は、ステップＳ４７でＮＧ表示して処理を終了する。
【００２５】
このようにして、指置き自動検出、グループ番号及びＩＤ番号のいずれかから、あらかじめ登録された指紋データの比較対象範囲を選択するようにしているので、ＩＤ番号を覚えておかなくても、指を置くだけで照合ができ、使いやすくなる。使用者が多い場合は、グループ番号によって順位照合対象範囲を限定し、照合性能及び照合速度を向上できる。高セキュリティを要求される場合には、ＩＤ番号で対象者を限定して照合できる。
【００２６】
指置きだけでの自動照合、グループ番号によるグループ照合及びＩＤ番号によるＩＤ照合のいずれかを使用者の意志で自由に選択でき、自動的に操作できて使いやすいものとなる。
【００２７】
なお、上記実施の形態では、照合媒体として指紋を用い、グループ番号及びＩＤ番号の入力用にテンキーを用いるものとしたが、これに限るものではなく、照合媒体として声紋、網膜パターン、手形、顔形等の人体又はこれに伴う機能、すなわち人体特徴点データによる判別を利用することが可能である。また、テンキーは入力機能を持つキーであればよい。
【００２８】
【発明の効果】
以上説明したとおりこの発明の第１発明では、人体特徴点抽出センサに人体が対向したことが検出されるとオート照合と判定し、このオート照合が判定されていない状態でグループキーによりグループ照合が指定されるとグループ照合と判定し、このグループ照合が判定されていない状態でテンキーによりＩＤ番号が入力されるとＩＤ番号と判定し、あらかじめ登録された人体特徴点データから上記判定されたオート照合、グループ照合及びＩＤ照合のいずれかに用いるデータを選択するようにしたので、ＩＤ番号を覚えておかなくても、人体を人体特徴点抽出センサに対向させるだけで照合ができ、使いやすさ、セキュリティ性等の目的に適合した機器とすることができる。
【００２９】
また、第２発明では、あらかじめ登録された人体特徴点データを登録時に指定されるグループ番号とＩＤ番号に対応して管理かつ記憶するようにしたので、使用者が多い場合に、グループ番号によって順位照合対象範囲を限定し、照合性能及び照合速度を向上することができる。
【００３０】
また、第３発明では、あらかじめ登録された人体特徴点データが複数の場合は、その対象を検索かつ比較し、あらかじめ登録された人体特徴点データが一つの場合は、単独で比較するようにしたので、高セキュリティ性を要求される場合には、ＩＤ番号で対象者を限定して照合する機能を持たせることができる。
【００３１】
また、第４発明では、人体特徴点データの登録時、人体対向検出並びにテンキーによるグループ番号入力及びＩＤ番号入力のいずれで照合するかを指定するとともに、検出した人体特徴点データを登録するようにしたので、照合手順を照合者の意志で自由に選択でき、使いやすいものとすることができる。
【００３２】
また、第５発明では、人体の特徴点として指紋を用いるようにしたので、使用勝手の優れた指紋照合装置を構成することができる。
【図面の簡単な説明】
【図１】この発明の実施の形態１を示す全体構成図。
【図２】この発明の実施の形態１を示す外観図。
【図３】図２のブロック線図。
【図４】この発明の実施の形態１を示す登録操作フローチャート。
【図５】この発明の実施の形態１を示す照合操作フローチャート。
【図６】この発明の実施の形態１を指紋データベース説明図。
【図７】この発明の実施の形態１を示す照合動作フローチャート。
【符号の説明】
１  人体特徴点抽出センサ（指紋センサ）、１ａ  指置き部、２  人体対向検出手段（指置き自動検出手段）、３  入力キー（テンキー）、４  グループ番号入力手段、５  ＩＤ番号入力手段、７  照合対象選択手段、８  グループ番号管理人体特徴点（指紋）データ記憶手段、９  指紋画像取込手段、１０  人体特徴点（指紋）データ登録手段、１１  照合手順指定手段、１２  複数データ検索照合手段、１３  個別データ単独照合手段、１７  人体（指紋）照合装置、２１ａ  グループキー、２１ｂ  オートキー、２１ｃ  モードキー、２４  ＣＰＵ、３５  指紋データベース。
Ｓ２〜Ｓ６  照合手順指定手段、Ｓ７，Ｓ８  人体特徴点（指紋）データ登録手段、Ｓ１１  人体対向（指置き自動）検出手段、Ｓ１２，Ｓ１４〜Ｓ１７，Ｓ２２  複数データ検索照合手段、Ｓ１４，Ｓ１５  グループ番号入力手段、Ｓ１８，Ｓ１９  ＩＤ番号入力手段、Ｓ３１〜Ｓ３９  照合対象選択手段、Ｓ３２〜Ｓ３５，Ｓ３９〜Ｓ４３  複数データ検索照合手段、Ｓ３６〜Ｓ４３  個別データ単独照合手段。
【図１】
0003630976.tif 000002
【図２】
0003630976.tif 000003
【図３】
0003630976.tif 000004
【図４】
0003630976.tif 000005
【図５】
0003630976.tif 000006
【図６】
0003630976.tif 000007
【図７】
0003630976.tif 000008